(57)【特許請求の範囲】
【請求項１】
取付用枠に、羽根ユニット枠に複数のスラットを取付けた羽根ユニットを取付けたガラリユニットであって、
前記取付用枠は、上枠と下枠と左右の縦枠を備え、
前記羽根ユニット枠は、上枠材と下枠材と左右の縦枠材と左右方向中間部の中骨を備え、
この中骨の上部が前記取付用枠の上枠に固着され、この中骨の下部が前記取付用枠の下枠に、面内方向にスライド可能で面外方向に移動しないように連結されて前記下枠と下枠材が面内方向に相対的に移動できるようにし、
前記取付用枠の左右の縦枠と前記羽根ユニット枠の左右の縦枠材が、面内方向に相対的に移動可能にそれぞれ固着されていることを特徴とするガラリユニット。
【請求項２】
上下に隣接した外壁材間にガラリユニットを取付けたガラリユニットを備えた建物外壁であって、
前記ガラリユニットは、取付用枠に、羽根ユニット枠に複数のスラットを取付けた羽根ユニットを取付けたもので、
前記取付用枠は、上枠と下枠と左右の縦枠を備え、
前記羽根ユニット枠は、上枠材と下枠材と左右の縦枠材と左右方向中間部の中骨を備え、
この中骨の上部が前記取付用枠の上枠に固着され、この中骨の下部が前記取付用枠の下枠に、面内方向にスライド可能で面外方向に移動しないように連結されて前記下枠と下枠材が面内方向に相対的に移動できるようにし、
前記取付用枠の左右の縦枠と前記羽根ユニット枠の左右の縦枠材が、面内方向に相対的に移動可能にそれぞれ固着され
前記取付用枠の上枠部が上の外壁材に取付けられ、下枠部が下の外壁材に取付けてあることを特徴とするガラリユニットを備えた建物外壁。
【発明の詳細な説明】
【０００１】
【発明の属する技術分野】
本発明はガラリユニット及びガラリユニットを備えた建物外壁に関する。
【０００２】
【従来の技術】
ガラリユニットとしては特開平９−１５９２３５号公報に示すように、ユニット枠に複数の羽根を上下方向に間隔を置いて取付けたものが提案されている。
建物外壁としては、ＰＣ板、ガラスユニット、窓ユニット等の外壁材を建物躯体に取付けたカーテンウオールと呼ばれるものが提案されている。
【０００３】
【発明が解決しようとする課題】
前述のガラリユニットはユニット枠の上枠と下枠が面内方向反対方向に移動した時に縦枠が斜めとなるので、その縦枠に取付けた羽根に無理な大きな力が作用し、ねじれ、そり等の変形が生じる。
【０００４】
前述のガラリユニットを建物外壁を構成する外壁材に取付けることで、ガラリユニットを備えた建物外壁を構成できる。
この場合には、上の階に取付けた外壁材と下の階に取付けた外壁材が層間変位した時にガラリユニットは１つの外壁材とともに面内方向に移動するから問題がない。
しかしながら、前述の場合にはガラリユニットが小型である。
【０００５】
大型のガラリユニットの場合には上下に隣接する外壁材間に取付けることになるので、層間変位した時にガラリユニットの羽根がねじれ、そり等の変形が生じることがある。
例えば、ユニット枠の上枠を上の階に取付けた外壁材に取付け、下枠を下の階に取付けた外壁に取付けると、層間変位した時に上枠と下枠が外壁材の層間変位によって面内方向左右反対方向に移動し、縦枠が斜めとなるので、その左右の縦枠にビス等で固着した羽根に無理な大きな力が作用し、その羽根がねじれ、そり等の変形を生じる。
【０００６】
そこで、本発明は前述の課題を解決できるようにしたガラリユニット及びガラリユニットを備えた建物外壁を提供することを目的とする。
【０００７】
【課題を解決するための手段】
第１の発明は、取付用枠に、羽根ユニット枠に複数のスラットを取付けた羽根ユニットを取付けたガラリユニットであって、
前記取付用枠は、上枠と下枠と左右の縦枠を備え、
前記羽根ユニット枠は、上枠材と下枠材と左右の縦枠材と左右方向中間部の中骨を備え、
この中骨の上部が前記取付用枠の上枠に固着され、この中骨の下部が前記取付用枠の下枠に、面内方向にスライド可能で面外方向に移動しないように連結されて前記下枠と下枠材が面内方向に相対的に移動できるようにし、
前記取付用枠の左右の縦枠と前記羽根ユニット枠の左右の縦枠材が、面内方向に相対的に移動可能にそれぞれ固着されていることを特徴とするガラリユニットである。
【００１０】
第２の発明は、上下に隣接した外壁材間にガラリユニットを取付けたガラリユニットを備えた建物外壁であって、
前記ガラリユニットは、取付用枠に、羽根ユニット枠に複数のスラットを取付けた羽根ユニットを取付けたもので、
前記取付用枠は、上枠と下枠と左右の縦枠を備え、
前記羽根ユニット枠は、上枠材と下枠材と左右の縦枠材と左右方向中間部の中骨を備え、
この中骨の上部が前記取付用枠の上枠に固着され、この中骨の下部が前記取付用枠の下枠に、面内方向にスライド可能で面外方向に移動しないように連結されて前記下枠と下枠材が面内方向に相対的に移動できるようにし、
前記取付用枠の左右の縦枠と前記羽根ユニット枠の左右の縦枠材が、面内方向に相対的に移動可能にそれぞれ固着され
前記取付用枠の上枠部が上の外壁材に取付けられ、下枠部が下の外壁材に取付けてあることを特徴とするガラリユニットを備えた建物外壁である。
【００１１】
【作用】
第１の発明によれば、取付用枠の上枠、下枠が面内方向反対方向に移動することで縦枠が斜めとなり、羽根ユニット枠の縦枠材が取付用枠の縦枠に追従して斜めとなるが、羽根ユニット枠の左右方向中間部の中骨の下部と取付用枠の下枠が面内方向に相対的にスライドする。
これによって、羽根に無理な大きな力が作用せずに羽根がねじれ、そり等の変形が低減する。
しかも、取付用枠の縦枠が斜めとなる時にその縦枠は羽根ユニット枠の縦枠材に対して面内方向に移動するので、羽根ユニット枠の縦枠材は取付用枠の縦枠よりも小さな角度の斜めとなる。
したがって、羽根のねじれ、そり等の変形がより低減する。
また、羽根ユニット枠の面外方向の強度が中骨によって強くなる。その中骨の上部を取付用枠の上枠に固着する作業、中骨の下部を取付用枠の下枠に連結する作業が容易である。
【００１４】
第２の発明によれば、上の外壁材と下の外壁材が層間変位した時に取付用枠の上枠、下枠が上下の外壁材とともに面内方向反対方向に移動し縦枠が斜めとなり、羽根ユニット枠の縦枠材が取付用枠の縦枠に追従して斜めとなるが、羽根ユニット枠の中骨の下部と取付用枠の下枠が面内方向に相対的にスライドすると共に、羽根ユニット枠の縦枠材に対して取付用枠の縦枠が面内方向に移動する。
これによって、羽根に無理な大きな力が作用せずに羽根がねじれ、そり等の変形が低減する。
【００１５】
【発明の実施の形態】
図１と図２と図３に示すように、スラブ等の建物躯体１に外壁材、例えばＰＣ板２が図示しないファスナーでそれぞれ取付けてある。
上の階（図示では最上階の天井スラブ）に取付けた上の階のＰＣ板２と下の階（図示では最上階の下の階の床スラブ）に取付けた下の階のＰＣ板２との間に中間の外壁材、例えば中間のＰＣ板３が取付けてあり、この左右の中間のＰＣ板３と上下階のＰＣ板２とで開口部４を形成している。その開口部４に一対のガラリユニット５が取付けてあり、このガラリユニット５と各ＰＣ板２，３で建物の外壁（カーテンウオール）を構成している。
前記ＰＣ板の代わりにガラスユニット、窓ユニットを取付けても良い。
【００１６】
前記ガラリユニット５は取付用枠６に羽根ユニット７を取付けた形状である。
前記取付用枠６は上枠１０と下枠１１と左右の縦枠１２で方形枠形状で、その上枠１０が上部ファスナー１３で上の階のＰＣ板２に取付けてあり、下枠１１が下部ファスナー１４で下の階のＰＣ板２に取付けてある。
【００１７】
前記羽根ユニット７は羽根ユニット枠２０に複数の羽根（スラット）２１を取付けた形状で、その羽根２１は左右方向に長尺（つまり、横向き）で、上下方向に間隔を置いて取付けてある。
【００１８】
上の階のＰＣ板２と下の階のＰＣ板２とが層間変位、例えば図１で矢印ａ，ｂ方向に移動した時に、ガラリユニット５の上部が上の階のＰＣ板２とともに矢印ａ方向、下部が下の階のＰＣ板２とともに矢印ｂ方向にそれぞれ移動し、上枠１０と下枠１１が面内方向にずれ、そのずれ量は層間変位量と同一である。
【００１９】
前記上枠１０は図４に示すように、室内側上向凹部１０ａと室外側中空部１０ｂと中間取付縦板１０ｃを有する断面形状の長尺材で、上枠１０は面外方向及び上下方向の剛性が高い。
前記上部ファスナー１３は上の階のＰＣ板２の下端面室内側寄りに取付けられる第１ファスナー１３ａと上枠１０の中間取付縦板１０ｃに取付けられる第２ファスナー１３ｂをボルト・ナット１３ｃで連結した形状である。
【００２０】
前記下枠１１は図５に示すように、室内側横向部１１ａと室外側中空部１１ｂと中間取付縦板１１ｃを有する断面形状の長尺材で、下枠１１は面外方向及び上下方向の剛性が高い。
前記下部ファスナー１４は下の階のＰＣ板２の室内側面に取付けられる第１ファスナー１４ａと下枠１１の中間取付縦板１０ｃに取付けられる第２ファスナー１４ｂをボルト・ナット１４ｃで連結した形状である。
【００２１】
前記縦枠１２は図６に示すように、面外方向に向う板状体１２ａの面内方向外側面に中間中空部１２ｂと室外側中空部１２ｃを有すると共に、その板状本体１２ａの面内方向内側面における面外方向中間に取付片１２ｄを有する断面形状の長尺材で、この縦枠１２は面外方向の剛性が高く、面内方向の剛性が低く、縦枠１２は面内方向に湾曲変形し易い。
【００２２】
前記上枠１０、下枠１１は、その長手方向端面を縦枠１２の板状体１２ａの面内方向の内側面に突き当て、その板状体１２ａからビスを上枠１０、下枠１１のビスホール１０ｄ，１１ｄに螺合して縦枠１０に連結される。
上枠１０、下枠１１の面外方向寸法が縦枠１２の面外方向寸法よりも大きいので、その上枠１０、下枠１１の長手方向両端部を切欠き、縦枠１２の室外側面１２ｅと上枠室外側の室内側向き面１０ｅ、下枠室外側の室内側向き面１１ｅとの間の空隙に端部小口シール１５を充填して水密している。
【００２３】
前記羽根ユニット枠２０は図４〜図７に示すように、縦枠材２２と上枠材２３と下枠材２４と中骨２５を備えている。
前記羽根２１は縦板状の取付部２１ａと傾斜した羽根部２１ｂとビスホール２１ｃを有する。
前記縦枠材２２は図６、図７に示すように面外方向に向う第１縦板２２ａと面内方向に向う第２縦板２２ｂで断面Ｌ字形状の長尺材で、その第２縦板２２ｂの室内側面に取付用蟻溝２２ｃと縦蟻溝２２ｄが室内側に向けて開口して有する。
前記上枠材２３は図４に示すように最上部の羽根２１の取付部２１ａの室内側面に一体的に設けられて室内側に開口した上横蟻溝２３ａを有する。
前記下枠材２４は図５に示すように最下部の羽根２１の取付部２１ａの室内側面に一体的に設けられて室内側に開口した下横蟻溝２４ａを有する。
【００２４】
前記中骨２５は図７に示すように室外側部材２５ａと室内側部材２５ｂをボルト２５ｃで着脱自在に連結した形状で、その室外側部材２５ａは中空部２５ｄと面内方向一対の室内側に開口した縦蟻溝２５ｅを有する。
前記室内側部材２５ｂには板状の補強材２６がボルト・ナット２７で取付けてある。
【００２５】
図８に示すように、前記上枠材２３における縦枠材２２の第２縦板２２ｂと対向した部分及び中骨２５と対向した部分が切欠き除去され、最上部の羽根２１の取付部２１ａが前記中骨２５の室外側面にビス２８でそれぞれ固着される。
前記下枠材２４も同様に切欠き除去され、最下部の羽根２１の取付部２１ａが中骨２５の室外側面にビス２８でそれぞれ固着される。
【００２６】
最上部の羽根２１，最下部の羽根２１以外の中間の羽根２１の取付部２１ａが中骨２５の室外側面にビス２８でそれぞれ固着される。
各羽根２１の羽根部２１ｂが縦枠材２２の第１縦板２２ａにビスホール２１ｃに螺合したビス２９でそれぞれ固着される。
【００２７】
前記上枠材２３、下枠材２４は最上部の羽根２１、最下部の羽根２１と別体としても良い。
また、上枠材２３、下枠材２４を用いずに最上部の羽根２１、最下部の羽根２１を上枠材２３、下枠材２４と兼用しても良い。このようにすれば、各羽根２１を同一断面形状とすることができる。
【００２８】
前記縦枠材２２の縦蟻溝２２ｄ、上枠材２３の上横蟻溝２３ａ、下枠材２４の下横蟻溝２４ａ、中骨２５の縦蟻溝２５ｅは四周連続し、これら各蟻溝部に亘って防鳥ネット３０がボルトナット３１、押え枠３２で取付けてある。
【００２９】
前記左右の縦枠材２２（つまり、羽根ユニット枠２０の左右縦部）が左右の縦枠１２（つまり、取付用枠６の左右縦部）に取付けられる。
具体的には、図６、図７に示すように縦枠材２２の第２縦板２２ｂの取付用縦蟻溝部を縦枠１２の取付片１２ｄに接し、その取付用蟻溝２２ｃに嵌め込んだボルト３３を縦枠１２の取付片１２ｄに形成した面内方向に長い長孔３４に挿通し、ナット３５を螺合して固着する。
【００３０】
前記中骨２５の下部（つまり、羽根ユニット枠２０の下横部の長手方向中間部）が下枠１１（つまり、取付用枠６の下横部）に面内方向にスライド可能で面外方向には動かないように連結される。
具体的には、図５に示すように中骨２５の室内側部材２５ｂの下部に切欠溝３６を形成する。この切欠溝３６は下端面に開口する。
下枠１１の室内側横向部１１ａの上面に下部ブラケット３７を取付ける。
この下部ブラケット３７は横片３７ａと縦片３７ｂで断面逆Ｔ字形状で、その横片３７ａを下枠１１の蟻溝３９に長手方向から嵌合して取付け、横片３７ａに螺合したビス３８を下枠１１の室内側横向部１１ａの上面に押しつけることで下部ブラケット３７が長手方向に移動しないようにする。前記縦片３７ｂを前記切欠溝３６に嵌め込んで中骨２５と下枠１１が面内方向に相対的にスライド可能とする。
なお、下枠１１の一部分、又は横片３７ａをカシメ等して長手方向に移動しないようにしても良い。
このようであるから、下部ブラケット３７を取付けるビス３８は長手方向に動かないようにする程度であり、そのビス３８は下枠１１（室内側横向部１１ａ）を貫通しないので、そのビス３８部分から雨水等が下のＰＣ板２に漏れることがない。
【００３１】
前記中骨２５の上部（つまり、羽根ユニット枠２０の上横部の長手方向中間部）が上枠１０（つまり、取付用枠６の上横部）に固着手段で固着してある。
具体的には、図４に示すように中骨２５の室内側部材２５ｂの上端面にプレート４０を、ビスホール４１に螺合したビス４２で固着し、このプレート４０を貫通したボルト４３を上枠１０の室内側凹部１０ａに設けた裏板４４に挿通し、ナット４５を螺合して固着してある。
【００３２】
前述のように上下階に取付けた上下のＰＣ板２が層間変位した時に、上枠１０は上の階に取付けた上のＰＣ板２とともに面内方向一方（矢印ａ）に移動し、下枠１１は下の階に取付けた下のＰＣ板２ととも面内方向他方（矢印ｂ）に移動する。
左右の縦枠１２は斜めとなる。
【００３３】
前記羽根ユニット枠２０の上枠材２３（上横部）が上枠１０とともに面内方向一方（矢印ａ）に移動し、羽根ユニット枠２０の縦枠材２２（縦部）が縦枠１２に追従して斜めとなるが、羽根ユニット枠２０の下枠材２４（下横部）と下枠１１が面内方向に相対的にスライドするので、羽根２１に無理な大きい力が作用しない。
したがって、羽根２１にねじれ、そり等の変形が生じることが低減する。
【００３４】
また、羽根ユニット枠２０の縦枠材２２を縦枠１２に固着するボルト３３が面内方向に長い長孔３４を挿通しているので、その縦枠材２２と縦枠１２が面内方向に相対的に移動可能である。
これによって、縦枠１２が斜めとなる時に縦枠材２２に対して面内方向に移動し、縦枠材２２は縦枠１２の角度よりも小さな角度で斜めとなる。
したがって、羽根２１のねじれ、そり等の変形がより低減する。
【００３５】
【発明の効果】
請求項１に係る発明によれば、取付用枠の上枠、下枠が面内方向反対方向に移動することで縦枠が斜めとなり、羽根ユニット枠の縦枠材が取付用枠の縦枠に追従して斜めとなるが、羽根ユニット枠の左右方向中間部の中骨の下部と取付用枠の下枠が面内方向に相対的にスライドする。
これによって、羽根に無理な大きな力が作用せずに羽根がねじれ、そり等の変形が低減する。
しかも、取付用枠の縦枠が斜めとなる時にその縦枠は羽根ユニット枠の縦枠材に対して面内方向に移動するので、羽根ユニット枠の縦枠材は取付用枠の縦枠よりも小さな角度の斜めとなる。
したがって、羽根のねじれ、そり等の変形がより低減する。
また、羽根ユニット枠の面外方向の強度が中骨によって強くなる。その中骨の上部を取付用枠の上枠に固着する作業、中骨の下部を取付用枠の下枠に連結する作業が容易である。
【００３８】
請求項２に係る発明によれば、上の外壁材と下の外壁材が層間変位した時に取付用枠の上枠、下枠が上下の外壁材とともに面内方向反対方向に移動し縦枠が斜めとなり、羽根ユニット枠の縦枠材が取付用枠の縦枠に追従して斜めとなるが、羽根ユニット枠の中骨の下部と取付用枠の下枠が面内方向に相対的にスライドすると共に、羽根ユニット枠の縦枠材に対して取付用枠の縦枠が面内方向に移動する。
これによって、羽根に無理な大きな力が作用せずに羽根がねじれ、そり等の変形が低減する。
【図面の簡単な説明】
【図１】ガラリユニットを備えた建物外壁の概略外観図である。
【図２】図１のＡ−Ａ断面図である。
【図３】図１のＢ−Ｂ断面図である。
【図４】図２のＣ部拡大詳細図である。
【図５】図２のＤ部拡大詳細図である。
【図６】図３のＥ部拡大詳細図である。
【図７】図３のＦ部拡大詳細図である。
【図８】羽根ユニットの分解斜視図である。
【符号の説明】
２…ＰＣ板（外壁材）
５…ガラリユニット
６…取付用枠
７…羽根ユニット
１０…上枠（上横部）
１１…下枠（下横部）
１２…縦枠（縦部）
２０…羽根ユニット枠
２１…羽根
２２…縦枠材（縦部）
２３…上枠材（上横部）
２４…下枠材（下横部）
２５…中骨
３６…切欠溝
３７…下部ブラケット
【図１】
0003704678.tif 000002
【図２】
0003704678.tif 000003
【図３】
0003704678.tif 000004
【図４】
0003704678.tif 000005
【図５】
0003704678.tif 000006
【図６】
0003704678.tif 000007
【図７】
0003704678.tif 000008
【図８】
0003704678.tif 000009